(57)【要約】【課題】  本体の開閉動作を妨げることなく、外枠から効果音を出したり、外枠を光らせることができる遊技機を提供する。【解決手段】  パチンコ機１では、本体１２の背面に固定された演出装置４０のスピーカ１５が音を出すと、その音は、ダクト６０を介して外枠１１の幕板１９に穿設された音出口１０から出るとともに、演出装置４０のＬＥＤ５０が発光すると、その光は光ファイバー３０を介して外枠１１の幕板１９に穿設された貫通孔１２に伝達されて光る。このパチンコ機１では、スピーカ１５とダクト６０とは固定されておらず、また、ＬＥＤ５０と光ファイバー３０とが固定されていないので、本体１２の開放時は、スピーカ１５とダクト６０が離間するとともにＬＥＤ５０と光ファイバー３０が離間する。よって、パチンコ機１における本体１２のスムーズな開閉動作を提供できる。【選択図】図２
2007075488.tif 000002
【特許請求の範囲】
【請求項１】
遊技機の外郭を構成し、且つ、該遊技機が設置される島設備に固定される外枠と、
該外枠に開閉可能に支持された本体と、
該本体に設けられた音発生手段と発光手段と、
前記外枠に穿設された音出口と貫通孔と、
前記外枠の裏面側で前記音出口に第１の開口部が接続されるとともに前記音発生手段と対向する位置に設けられた第２の開口部を有する音通路と、
前記貫通孔に一端部が嵌挿された光伝達手段と、
を備え、
前記本体を前記外枠に閉塞した状態では、前記第２の開口部と前記音発生手段とが対向するとともに前記光伝達手段の前記他端部が前記発光手段と対向し、
前期本体を前記外枠から開放した状態では、前記第２の開口部と前記音発生手段とが離間するとともに前記光伝達手段の前記他端部が前記発光手段から離間することを特徴とする遊技機。
【請求項２】
前記発光手段は、前記本体の軸支側に設けられ、
前記貫通孔は複数設けられ、
当該複数の貫通孔に各々嵌挿された複数の光伝達手段の各他端部は、前記本体の閉塞時の前記発光手段に対向する位置に集中配置されていることを特徴とする請求項１に記載の遊技機。
【請求項３】
遊技機の外郭を構成し、且つ、該遊技機が設置される島設備に固定される外枠と、
前記外枠に開閉可能に支持された本体と、
該本体に設けられた音発生手段と発光手段と、
該発光手段に一端部が対向して固定された第１の光伝達手段と、
前記外枠に穿設された音出口と貫通孔と、
前記外枠の裏面側で前記音出口に第１の開口部が接続されるとともに前記音発生手段と対向する位置に設けられた第２の開口部を有する音通路と、
前記貫通孔に一端部が嵌挿された第２の光伝達手段と、
を備え、
前記本体を前記外枠に閉塞した状態では、前記第２の開口部と前記音発生手段とが対向するとともに前記第１の光伝達手段の前記他端部と、前記第２の光伝達手段の前記他端部とが対向し、
前記本体を前記外枠から開放した状態では、前記第２の開口部と前記音発生手段とが離間するとともに前記第１の光伝達手段の前記他端部と前記第２の光伝達手段の前記他端部とが離間することを特徴とする遊技機。
【請求項４】
前記外枠の前面側の下端部に、所定幅を有して横方向に延設された板部材を備え、
前記音出口と前記貫通孔は、前記板部材に穿設され、
前記音発生手段と前記発光手段は、前記本体の下部に設けられることを特徴とする請求項１、請求項２又は請求項３に記載の遊技機。
【発明の詳細な説明】
【技術分野】
【０００１】
本発明は遊技機に関し、詳細には、効果音発生用の音発生手段と、演出用の発光手段を備えた遊技機に関する。
【背景技術】
【０００２】
従来、パチンコ機やパチスロ機等の遊技機では、各種の効果音を発生するためのスピーカと演出用のＬＥＤ／ランプが設けられている。具体的には、これらの遊技機では、遊技機の外郭をなすとともに島設備に固定される木製やプラスチック製の外枠（機枠ともいう）に、遊技機の主要機構を搭載した本体が開閉可能に設けられ、この本体の前面側の下部や上部にスピーカやＬＥＤ／ランプが設けられている。しかしながら、パチンコ機であれば、本体の下部の裏面側には、表側に設けられた上皿や下皿への遊技球の払出し装置や遊技球を発射する発射装置等が設けられており、また、パチスロ機であれば、コインの払出し装置等が設けられているため、スピーカやＬＥＤ／ランプの設置スペースは限られたものとなっている。また、本体の上部にスピーカやＬＥＤ／ランプを設けると、その場所には、装飾部材等を設置することができないという問題があった。この問題を解決するために、外枠の下端部に設けられた遮蔽板にスピーカを設けた遊技機（特許文献１）や幕板の前部に、発光手段としてのＬＥＤを内蔵する装飾カバーを設け、そのＬＥＤを点灯させることで幕板の装飾効果を高めることができる遊技機（特許文献２）が提案されている。
【０００３】
【特許文献１】特開２００３−７９８３２号
【０００４】
【特許文献２】特開２００３−１１１９３２号
【発明の開示】
【発明が解決しようとする課題】
【０００５】
しかしながら、特許文献１に記載の遊技機のように、外枠の下端部に設けられた遮蔽板にスピーカを設けると、遊技機の機構部と当該機構部が固定された中枠を含む本体は外枠に着脱可能となっており、また、当該本体は外枠に軸支されて開閉されるため、組み立て時には、外枠への本体の設置後に、機構部に設けられた制御基板側とスピーカとに配線する必要がある。さらに、メンテナンスのために外枠から本体を取り外す場合には、スピーカの配線を取り外す必要があり、メンテナンスに時間がかかるという問題があった。また、配線を外すのを忘れて本体を開放したり、取り外したりすると、配線を切断してしまうという問題があった。
【０００６】
また、特許文献２に記載の遊技機では、幕板の内部に設けられたＬＥＤは、幕板に設けられた幕板ＬＥＤ基板に接続され、該幕板ＬＥＤ基板は、本体側に設けられた主基板に配線を介して電気的に接続されている。このため、遊技盤のメンテナンス作業等で本体を開放する際に、幕板ＬＥＤ基板及び主基板の何れかに接続された配線の一端をわざわざ外したり接続したりする作業が必要となるため不便という問題があった。さらに、その配線の一端を外すのを忘れてそのまま本体を開放してしまうと、本体と幕板との間で配線が引っ張られて断線することもあった。また、このパチンコ機では、幕板の前部全体を光らせる部分ごとにＬＥＤを各々設けているため、ＬＥＤにかかるコストが増大する問題もあった。
【０００７】
本発明は、上記課題を解決するためになされたものであり、外枠から音を出すとともに光を出しても、本体の取り外しや開閉を容易にできる遊技機を提供することを目的とする。
【課題を解決するための手段】
【０００８】
上記課題を解決するため、請求項１に係る発明の遊技機は、遊技機の外郭を構成し、且つ、遊技機が設置される島設備に固定される外枠と、外枠に開閉可能に支持された本体と、本体に設けられた音発生手段（スピーカ）と発光手段（ＬＥＤ）と、外枠に穿設された音出口と貫通孔と、外枠の裏面側で音出口に第１の開口部が接続されるとともに音発生手段（スピーカ）と対向する位置に設けられた第２の開口部を有する音通路（ダクト）と、貫通孔に一端部が嵌挿された光伝達手段（光ファイバー）を備え、本体を外枠に閉塞した状態では、第２の開口部と音発生手段（スピーカ）とが対向するとともに光伝達手段（光ファイバー）の他端部が発光手段（ＬＥＤ）と対向し、本体を外枠から開放した状態では、第２の開口部と音発生手段（スピーカ）とが離間するとともに光伝達手段（光ファイバー）の他端部が発光手段（ＬＥＤ）から離間することを特徴とする。
【０００９】
また、請求項２に係る発明の遊技機では、請求項１に記載の発明の構成に加え、発光手段（ＬＥＤ）は、本体の軸支側に設けられ、貫通孔は複数設けられ、複数の貫通孔に各々嵌挿された複数の光伝達手段（光ファイバー）の各他端部は、本体の閉塞時の発光手段（ＬＥＤ）に対向する位置に集中配置されていることを特徴とする。
【００１０】
また、請求項３に係る発明の遊技機は、遊技機の外郭を構成し、且つ、遊技機が設置される島設備に固定される外枠と、外枠に開閉可能に支持された本体と、本体に設けられた音発生手段（スピーカ）と発光手段（ＬＥＤ）と、発光手段（ＬＥＤ）に一端部が対向して固定された第１の光伝達手段（光ファイバー）と、外枠に穿設された音出口と貫通孔と、外枠の裏面側で音出口に第１の開口部が接続されるとともに音発生手段と対向する位置に設けられた第２の開口部を有する音通路（ダクト）と、貫通孔に一端部が嵌挿された第２の光伝達手段（光ファイバー）を備え、本体を外枠に閉塞した状態では、第２の開口部と音発生手段（スピーカ）とが対向するとともに第１の光伝達手段（光ファイバー）の他端部と第２の光伝達手段（光ファイバー）の他端部とが対向し、本体を外枠から開放した状態では、第２の開口部と音発生手段（スピーカ）とが離間するとともに第１の光伝達手段（光ファイバー）の他端部と第２の光伝達手段（光ファイバー）の他端部とが離間することを特徴とする。
【００１１】
また、請求項４に係る発明の遊技機では、請求項１、請求項２又は請求項３に記載の発明の構成に加え、外枠の前面側の下端部に、所定幅を有して横方向に延設された板部材を備え、音出口と貫通孔は、板部材に穿設され、音発生手段（スピーカ）と発光手段（ＬＥＤ）は、本体の下部に設けられていることを特徴とする。
【発明の効果】
【００１２】
請求項１に係る発明の遊技機では、外枠に開閉可能に支持された本体に音発生手段（スピーカ）と発光手段（ＬＥＤ）を設け、外枠に音出口と貫通孔を穿設し、外枠の裏面側で音出口に第１の開口部が接続されるとともに音発生手段（スピーカ）と対向する位置に第２の開口部を設けた音通路（ダクト）と、外枠に穿設された貫通孔に一端部が嵌挿され、他端部が発光手段（ＬＥＤ）に対向する光伝達手段（光ファイバー）とを備え、本体を外枠に閉塞した状態では、第２の開口部と音発生手段（スピーカ）とが対向するとともに光伝達手段（光ファイバー）の他端部が発光手段（ＬＥＤ）と対向し、本体を外枠から開放した状態では、第２の開口部と音発生手段（スピーカ）とが離間するとともに光伝達手段（光ファイバー）の他端部が発光手段（ＬＥＤ）から離間することができるので、本体の前面側に音出口を設ける必要がなくなり、本体の前面のスペースに他の装飾部材や装飾ランプを設けることができ、スペースを有効に活用できる。また、音通路（ダクト）の第２の開口部と音発生手段（スピーカ）とが固定されておらず、自由に離間することができるので、本体の外枠からの着脱や開放時に、音発生手段（スピーカ）の配線を外す必要がなく、音発生手段（スピーカ）の配線の断線の虞もない。さらには、本体が閉じられたときは、光伝達手段（光ファイバー）の他端部が発光手段（ＬＥＤ）に対向するので、発光手段（ＬＥＤ）によって照射された光は、光伝達手段（光ファイバー）を介して、伝達される。これにより、外枠を光らせて遊技における演出効果を向上させることができる。一方、本体が開放されるときは、貫通孔に挿入された光伝達手段（光ファイバー）の他端部が発光手段（ＬＥＤ）から離間する。したがって、本体が回動する際に、光伝達手段（光ファイバー）が外枠と本体との間で引っ張られないので、本体の回動を妨げない。
【００１３】
また、請求項２に係る発明の遊技機では、請求項１に記載の発明の効果に加えて、本体の閉塞時において、複数の貫通孔に各々嵌挿された複数の光伝達手段（光ファイバー）の各他端部は、発光手段（ＬＥＤ）に向かって配索されて集められ、発光手段（ＬＥＤ）に向かって対向している。これにより、発光手段（ＬＥＤ）の数を少なくしても、複数の光伝達手段（光ファイバー）を介して、複数の貫通孔に光を伝達して外枠を光らせることができる。また、発光手段（ＬＥＤ）が、本体の軸支側に設けられていることから、本体が回動しても、発光手段（ＬＥＤ）の回動範囲は少なくなる。したがって、発光手段（ＬＥＤ）と、複数の光伝達手段（光ファイバー）の各他端部とが対向する位置にズレが生じにくくなる。
【００１４】
請求項３に係る発明の遊技機では、外枠に開閉可能に支持された本体に音発生手段（スピーカ）と発光手段（ＬＥＤ）を設け、発光手段（ＬＥＤ）に一端部を対向して第１の光伝達手段（光ファイバー）を固定し、外枠に音出口と貫通孔を穿設し、外枠の裏面側で音出口に第１の開口部が接続されるとともに音発生手段（スピーカ）と対向する位置に第２の開口部を設けた音通路（ダクト）と、外枠に穿設された貫通孔に一端部が嵌挿された第２の光伝達手段（光ファイバー）を備え、本体を外枠に閉塞した状態では、第２の開口部と音発生手段（スピーカ）とが対向するとともに第１の光伝達手段（光ファイバー）の他端部と第２の光伝達手段（光ファイバー）の他端部とが対向し、本体を外枠から開放した状態では、第２の開口部と音発生手段（スピーカ）とが離間するとともに第１の光伝達手段（光ファイバー）の他端部と第２の光伝達手段（光ファイバー）の他端部とが離間することができるので、本体の前面側に音出口を設ける必要がなくなり、本体の前面のスペースに他の装飾部材や装飾ランプを設けることができ、スペースを有効に活用できる。また、音通路（ダクト）の第２の開口部と音発生手段（スピーカ）とが固定されておらず、自由に離間することができるので、本体の外枠からの着脱や開放時に、音発生手段（スピーカ）の配線を外す必要がなく、音発生手段（スピーカ）の配線の断線の虞もない。さらには、本体が閉じられたときは、光伝達手段（光ファイバー）の他端部が発光手段（ＬＥＤ）に対向するので、発光手段（ＬＥＤ）によって照射された光は、光伝達手段（光ファイバー）を介して、伝達される。これにより、外枠を光らせて遊技における演出効果を向上させることができる。一方、本体が開放されるときは、貫通孔に挿入された光伝達手段（光ファイバー）の他端部が発光手段（ＬＥＤ）から離間する。したがって、本体が回動する際に、光伝達手段（光ファイバー）が外枠と本体との間で引っ張られないので、本体の回動を妨げない。
【００１５】
また、請求項４に係る発明の遊技機では、請求項１、請求項２又は請求項３に記載の発明の効果に加えて、外枠の前面側の下端部に所定幅を有して横方向に延設された板部材に、音出口と貫通孔が穿設され、スピーカとＬＥＤ／ランプは本体の裏面側の下部に設けられるので、音出口及び光伝達手段（光ファイバー）が、十分な空きスペースのある外枠の下端部の裏面側に配置できる。したがって、音出口及び音通路の第１の開口部を比較的自由に設計することが可能となり品質の高い大きな効果音を発生することが可能となる、さらに、外枠の下部を光らせて遊技における演出効果を向上させることができる。
【発明を実施するための最良の形態】
【００１６】
本発明に係る遊技機の実施形態であるパチンコ機１について、図面に基づいて説明する。
【実施例１】
【００１７】
以下、本発明に係る遊技機の第１の実施形態であるパチンコ機１について、図面に基づいて説明する。図１は、第１の実施形態であるパチンコ機１の全体斜視図であり、図２はパチンコ機１の正面図であり、図３はパチンコ機１の背面図であり、図４は外枠１１を背面側から見た斜視図であり、図５はスピーカ１５とＬＥＤ５０を備えた演出装置４０とダクト６０と複数の光ファイバー３０との位置関係を示す外枠１１と本体１２との分解斜視図であり、図６は本体１２が閉じられた状態のパチンコ機１の右側面図であり、図７は本体１２が開かれた状態のパチンコ機１の右側面図である。なお、図１の紙面手前側をパチンコ機１の前面側とし、紙面奥行き側をパチンコ機１の背面側とする。さらに、図４の紙面手前側を外枠１１の背面側とし、紙面奥行き側を外枠１１の前面側とする。
【００１８】
なお、第１の実施形態であるパチンコ機１では、本体１２の背面の下端部に固定された演出装置４０のスピーカ１５から発生された音を、ダクト６０を介して、遊技中に、外枠１１の幕板１９に穿設された音出口１０から発することができるものである。さらに、このパチンコ機１は、幕板１９の音出口１０に、第１の開口部が接続されるとともに本体１２に設けたスピーカ１５と対向する位置に第２の開口部を有するダクト６０を隙間なく対向させている点に特徴を有する。そして、この構造により、本体１２が回動して開かれても、ダクト６０は外枠１１側に保持されているため、外枠１１と本体１２との間でダクト６０が引っ張られず、本体１２の開放動作が妨げられるのを防ぐことができる。
【００１９】
さらに、本体１２の背面の下端部に固定された演出装置４０のＬＥＤ５０から発せられた光を、光ファイバー３０を介して、外枠１１の幕板１９に穿設された貫通孔２０に伝達し、遊技中に幕板１９の貫通孔２０を光らせることができるものである。さらに、このパチンコ機１は、幕板１９の貫通孔２０に、Ｌ字状の光ファイバー３０の一端部（発光端部３０ａ）を嵌挿させ、その反対の他端部（受光端部３０ｂ）を、本体１２の下端部に固定された演出装置４０のＬＥＤ５０に僅かな隙間を設けて対向させている点に特徴を有する。そして、この構造により、本体１２が回動して開かれても、光ファイバー３０は外枠１１側に保持されているため、外枠１１と本体１２との間で光ファイバー３０が引っ張られず、本体１２の開放動作が妨げられるのを防ぐことができる。
【００２０】
はじめに、パチンコ機の概略構成について説明する。図１乃至図３に示すように、パチンコ機１は、ホールの島設備（図示外）に取り付けられる略矩形状の外枠１１を備え、当該外枠１１の遊技者に対向する前面側には、略矩形状の本体１２が支持されている。そして、外枠１１の左縦板１１ｃ（図４参照）の上下部には、上ヒンジ５４と下ヒンジ５６（図２参照）とが各々設けられ、これら上ヒンジ５４と下ヒンジ５６とによって、図１に示す本体１２が開閉可能に軸支されている。さらに、図１、図２に示すように、本体１２の略上半分には、正面視略円形状のガラス板１３ａを略中央に保持するガラス枠１３が開閉可能に軸支されている。また、本体１２の略下半分の上部には、発射装置に遊技球を供給し、且つ賞品球を受けるための上皿５が設けられている。さらに、その上皿の直下には、賞品球を受けるための下皿６が設けられ、その下皿６の右横には遊技球の発射を調整する発射ハンドル７が設けられている。一方、図２に示すように、ガラス枠１３上部の左右のコーナーにスピーカ２３、２４が設けられている。また、ガラス枠１３に保持されたガラス板１３ａの後方には、本体１２の略上半分に支持されるとともに、発射ハンドル７の操作によって発射装置から発射された遊技球が流下する遊技盤（図示外）が備えられている。そして、この遊技盤は、自身の前方に位置するガラス板１３ａによって保護されている。
【００２１】
また、図２に示すように、外枠１１の下部を構成する幕板１９には、幕板１９の前後方向に貫通する２個の音出口１０が穿設されるとともに幕板１９の前後方向に貫通する１２個の貫通孔２０が穿設される。なお、各々の音出口１０の前面側には、スピーカグリル１０ａが設けられている。このスピーカグリル１０ａは、音出口１０からの粉塵の進入を防ぐ機能を持つ一方、装飾用でもある。
【００２２】
２個の音出口１０には、図５に示すように、略Ｌ字状に成形されたプラスチック製のダクト６０の第１の開口部６０ａが、外枠１１の背面側から音出口１０に、４本のねじで接続されている。そして、第１の開口部６１ａとは反対の、第２の開口部６０ｂが、外周がダクト６０と同じ大きさで且つ第２の開口部６０ｂと同じ大きさの開口部を有するスポンジ６１を介して、本体１２を外枠１１に対し閉じたときには、演出装置４０に備えたスピーカ１５に隙間なく対向する形状に成形されている。したがって、スピーカ１５から発した音はダクト６０を通して音出口１０から出すことができる。なお、これら音出口１０から音を出す構造については後に詳しく説明する。
【００２３】
また、１２個の貫通孔２０には、図５に示すように、略Ｌ字状に成形された光ファイバー３０の一端部（発光端部３０ａ）が外枠１１の背面側から各々嵌挿されている。さらに、図３、図６に示すように、これら１２本の光ファイバー３０の各一端部とは反対の各他端部（受光端部３０ｂ）は、本体１２の背面の下端部に沿って設けられた演出装置４０の１２個のＬＥＤ５０に、所定の隙間を設けて対向している。このような構造により、演出装置４０に備えた１２個のＬＥＤ５０から発せられた光は、各光ファイバー３０を介して、幕板１９の各貫通孔２０に伝達され、幕板１９の前面に設けられた１２個の貫通孔２０が光って見えるようになっている。なお、これら貫通孔２０を光らせる構造については後に詳しく説明する。
【００２４】
一方、図３に示すように、パチンコ機１の背面側には、外枠１１を介して、本体１２の背面側に組みつけられた各種部品や装置が外側に露出された状態となっている。そして、本体１２の背面には、正面視略Ｌ字型の機構板７８が組み付けられ、この機構板７８には、透明な樹脂からなるセンターカバー８０、電源基板８１、払出し制御基板８２が各々設けられている。さらに、センターカバー８０内側には、メイン制御基板（図示外）、表示制御基板（図示外）、サブ制御基板（図示外）などが配設されている。また、センターカバー８０の上方には、遊技機設置島（図示外）から供給される遊技球を貯留する遊技球タンク８５が備えられ、この遊技球タンク８５の下部には、遊技球タンク８５内の遊技球が通過する遊技球タンク球通路８６が配設されている。そして、その遊技球タンク球通路８６の下流側一端部は、機構板７８の遊技球樋の上流側に接続され、遊技球の払い出し装置８７により遊技球が上皿５及び下皿６に払出されるようになっている。
【００２５】
次に、外枠１１について説明する。図４に示すように、外枠１１は、ホールの島設備（図示外）に取り付けられるパチンコ機１の本体を支持する正面視略矩形状の支持枠である。この外枠１１は、天板１１ａ、右縦板１１ｂ、左縦板１１ｃ、地板１１ｄ及び幕板１９とで構成され、全て木板から形成されている。なお、これら全てをプラスチック製、或は、一部をプラスチック製としても良い。そして、右縦板１１ｂ、左縦板１１ｃ及び天板１１ａは、パチンコ機１の前後方向における板幅が互いに等しく形成され、各前面及び背面が同一平面上で揃っている。これに対し、地板１１ｄは、前後方向の板幅は、他の天板１１ａ、右縦板１１ｂ及び左縦板１１ｃよりも大きく形成され、この大きく形成された分だけ前方に張り出している。さらに、外枠１１の前面下部には、地板１１ｄの張り出し幅よりも小さい板厚を有する角柱状の幕板１９が起立状に設けられている。この幕板１９は、右縦板１１ｂ、左縦板１１ｃの前面に掛け渡されるとともに、この右縦板１１ｂ及び左縦板１１ｃに固着され、地板１１ｄの前方への張り出し部分の上面に当接して支持されている。そして、この幕板１９により、外枠１１が補強されている。また、天板１１ａと左縦板１１ｃとが接する角部の外側面には上ヒンジ５４が固定されている。一方、図５に示すように、幕板１９の左側上面と左縦板１１ｃとには軸ピン３６ａを有する下受けヒンジ３６が２本のねじ１７によって固定され、本体側左側下面には軸受け孔３５ａを穿設した下掛けヒンジ３５がねじによって固定されている。そして、これら上ヒンジ５４及び下ヒンジ５６によって、本体１２の軸支構造を構成している。
【００２６】
さらに、図４に示すように、幕板１９の長手方向略中間部よりやや右側（図４の左側）の上面には、樹脂からなる平板状の本体すべり板１６が、２本のねじで固定されている。この本体すべり板１６は、本体１２のスムーズな開閉動作を確保するための部材であり、例えば、本体１２を閉じる際、自身の重みで軸支側とは反対側に傾いた本体１２の下端部が、幕板１９の前面に衝突しないよう、本体すべり板１６の上面に摺動させて、幕板１９の上面に乗り上げさせるものである。これにより、片下がりの生じた本体１２であっても、外枠１１に対してスムーズに開閉することができる。
【００２７】
そして、図５に示すように、幕板１９には、幕板１９の長手方向に直交して、幕板１９の前面及び背面を貫通する２個の矩形状の音出口１０と１２個の円柱状の貫通孔２０（図５では、１個の音出口と４個の貫通孔のみ図示）が各々穿設されている。これら、２個の音出口１０は、正面視、左右に１個ずつ穿設されている。さらに、これら２個の音出口１０の各々に、略Ｌ字状に成形されたダクト６０の第１の開口部６０ａが接続するように、ダクト６０が幕板１９に、４本のねじで固定され、その反対の第２の開口部６０ｂは上方に向けられている。なお、音出口１０は、幕板１９の前面及び背面を貫通するとともに、幕板１９の長手方向（左右方向）に交差していればよく、必ずしも直交していなくともよい。また、音出口１０の形状は矩形状に限定されず、例えば、楕円形であってもよいし、さらには、数は２個に限らず、これより多くても少なくてもよい。
【００２８】
１２個の貫通孔２０は、幕板１９に穿設の音出口１０の外側に上下２段に各１個ずつの貫通孔２０と、各音出口１０の内側に上下２段に各４個ずつの貫通孔２０が穿設され、上下２段に各６個ずつ横並びに列設されている。さらに、これら１２個の貫通孔２０には、略Ｌ字状に成形された円柱状の光ファイバー３０の一端部（後述する発光端部３０ａ）が各々嵌挿され、その反対の他端部（後述する受光端部３０ｂ）は上方に向けられている。そして、貫通孔２０の内径は、光ファイバー３０の径と同じ径（或はやや小さい径）に形成されているので、光ファイバー３０の一端部を貫通孔２０に挿入するだけで貫通孔２０に隙間なく嵌めることができ、さらには、接着剤を使用すればより確実に固定することができる。なお、貫通孔２０は、幕板１９の前面及び背面を貫通するとともに、幕板１９の長手方向（左右方向）に交差していればよく、必ずしも直交していなくともよい。また、貫通孔２０の数は１２個に限らず、これより多くても少なくてもよい。
【００２９】
次に、ダクト６０の構造の詳細を説明する。なお、幕板１９の左右に固定された２個のダクトは左右対称の構造であるので、以下、図４及び図５に示す、幕板１９の左側に固定のダクト６０（図４の右側）を例に説明するが、幕板１９の左右に固定のダクトは左右対称である以外は同一構造である。
【００３０】
図４及び図５に示すように、音通路としてのダクト６０は、内部が中空に形成された略Ｌ字状のプラスチック製であり、幕板１９の裏面側で、音出口１０に当接して固定される第１の開口部６０ａと、本体１２の下端部に設けられたスピーカ１５に当接する第２の開口部６０ｂと、それらの開口部を連絡する胴部６０ｃから構成される。また、ダクト６０は、第１の開口部６０ａの上部に第２の開口部６０ｂが位置するように屈曲され、第１の開口部６０ａはパチンコ機１の前面方向に向けて開放される一方、第２の開口部６０ｂはパチンコ機１の上方に向けて開放されている。なお、第１の開口部の開口面積と第２の開口部の開口面積は同じである。しかし、この構成に限定することなく、第１の開口部の開口面積を第２の開口部の開口面積に比して大きく構成したり、逆に、小さく構成してもよい。第１の開口部の開口面積を第２の開口部の開口面積に比して大きく構成した場合は、所謂「ホーン」構造となり、音出口からの音量の増大が見込める。
【００３１】
次に、図３、図５を参照して、スピーカ１５について説明する。なお、左右に配置の各々のスピーカは同一構造である。これらのスピーカは、その表面をパチンコ機の下方に向けて、演出装置４０に、４本のねじにより固定されている。したがって、スピーカ１５は、ダクトの第２の開口部と、対向することになる。なお、スピーカ１５は、比較的スペースに余裕のある本体１２の下端部に固定されているので、本体の上部等に設けられる従来のスピーカよりもサイズの大きいスピーカを用いることができる。
【００３２】
次に、図８（Ａ）、（Ｂ）を参照して、スピーカ１５とダクト６０の第２の開口部との当接構造について説明する。図８（Ａ）に示すように、本体１２を閉じた状態では、スピーカ１５の表面（図８（Ａ）の下方側）とダクト６０の第２の開口部はスポンジ６１を介して当接している。すなわち、ダクトの第２の開口部には、この第２の開口部と同形状の開口部を設けたスポンジ６１が接着剤で接着してあり、本体１２の開放時には、スポンジ６１上面の位置はスピーカ１５の表面部（図８（Ａ）の下方側）の位置より僅かに高い。しかし、スポンジ６１は可撓性があるので、本体を閉じるにつれ、スポンジ６１の上部がスピーカ１５の表面と衝突し、スピーカ１５の表面に押されて撓み、スピーカ１５の表面と密着しながらこすれるように移動し、本体１２を閉じた状態では、スポンジ６１の全体がスピーカ１５の表面と当接し、スピーカ１５から発生する音を逃がさないように機能する。なお、ダクト６０を、第２の開口部６０ｂより第１の開口部６０ａのほうが大きいホーン構造とすれば、スピーカ１５から発生された効果音はホーン構造のダクト６０を通して、高音質の大きな音で遊技者に向けて放出される。
【００３３】
なお、スピーカ１５は本体１２側の演出装置４０に固定され、スピーカ１５とダクト６０の第２の開口部６０ｂとは互いに固定されていないので、図７に示すように、本体１２の開放によりスピーカ１５とダクト６０の第２の開口部６０ｂとは、自由に離間できる。したがって、本体１２を開放する場合にも、いちいち、スピーカ１５とダクト６０の第２の開口部６０ｂとの接続を外す必要がなく、また、スピーカ１５等の配線を外す必要もなく、この配線が断線する虞もない。したがって、本体１２を自在に開放できる。また、ダクト６０は外枠１１の下端部に設けられた幕板１９に固定されているので、パチンコ機１のメンテナンス時にも邪魔にならない。
【００３４】
次に、光ファイバー３０について説明する。図５に示す光ファイバー３０は、光伝達素材であり、特殊なアクリル樹脂からなる芯状のコアと、該コアの外周面を覆い、フッ素樹脂系からなる円筒状のグラッドから構成されている。そして、その径は、例えば、Φ７．８ｍｍ±０．３ｍｍに調整され、非発光時の色は透明又は乳白色を呈している。さらに、光ファイバーは柔軟性と成形性とを備えているので、本実施例のように略Ｌ字状に形状を変化させることができる。そして、この光ファイバー３０の一端部が、貫通孔２０に嵌挿されて発光する発光端部３０ａとなり、その反対の他端部が、後述する演出装置４０の各ＬＥＤ５０に対向して、このＬＥＤ５０から発せられた光を受ける受光端部３０ｂとなる。これにより、ＬＥＤ５０から発せられた光は、光ファイバー３０の受光端部３０ｂから受光され、発光端部３０ａに伝達されるので、幕板１９前面の１２個の貫通孔２０を光らせることができる。なお、本実施形態で使用された光ファイバー３０は、住友スリーエム株式会社製の「アクリル樹脂発光伝達素材・ＬＥＤ専用ファイバー（商品名：ライトストリング）」であるが、これに限らず、発光伝達素材として使用可能な光ファイバーであれば変更可能である。
【００３５】
次に、本体１２について説明する。図２に示すように、本体１２は、正面視略矩形状に形成され、その大きさは、外枠の地板１１ｄと幕板１９を除く前面を覆う程度に形成されている。そして、本体１２の前面側の上半分には、遊技盤（図示外）が組み付けられ、下半分には、上述した上皿５、下皿６等が組み付けられている。一方、本体１２の背面側には、上述した機構板７８や、センターカバー８０、メイン制御基板（図示外）、電源基板８１、払出し制御基板８２等が組み付けられている。さらに、図５に示すように、本体１２の左端部下側の角部近傍には、下ヒンジ５６を構成する下受けヒンジ３６と断面略Ｌ字状の下掛けヒンジ３５が、それぞれねじで固定されている。この下掛けヒンジ３５は、下受けヒンジ３６の軸ピン３６ａに挿入するための軸受け孔３５ａが穿設され、下受けヒンジの軸ピン３６ａに、この下掛けヒンジ３５の軸受け孔３５ａを挿入することによって、本体１２の左端部の下側が軸支される。なお、本体１２の左端部上側角部近傍には左端部下側近傍の下ヒンジ５６と同様のヒンジ構成を有する上ヒンジ５４が設けられている。こうして、上ヒンジ５４と下ヒンジ５６により、本体１２が外枠１１に対して開閉可能に軸支される。
【００３６】
一方、図３、図７に示すように、本体１２の背面の下端部近傍には、この下端部の長手方向に沿って延設された正面視略長方形状の演出装置４０が設けられている。この演出装置４０には、下方に向けて２個のスピーカ１５と、下方に向けて１２個のＬＥＤ５０が備えられている。そして、本体１２が閉じられた際には、幕板１９に固定された２個のダクト６０の各第２の開口部６０ｂに対して、スピーカ１５の表面部（図８（Ａ）の下方）が当接して対向する。また、幕板１９の各貫通孔２０に保持された１２本の光ファイバーの各受光端部３０ｂ（図５参照）が、演出装置４０に備えられた各ＬＥＤ５０に対して、所定の隙間を介して各々対向するように構成されている。
【００３７】
次に、本発明の特徴である演出装置４０について説明する。図３、図７に示す演出装置４０は、２個のスピーカ１５から効果音を発生させたり、１２個のＬＥＤ５０を光らせるための装置である。そして、図５に示すように、この演出装置４０は、２個のスピーカ１５と、１２個のＬＥＤ５０が配設されたＬＥＤ基板（図示外）を保持する略直方体状の演出部材保持部４１と、この演出部材保持部４１を本体背面の下端部近傍に固定するための断面略クランク状に成形された金属板である固定金具４２とで構成されている。
【００３８】
まず、固定金具４２は、図５に示すように、本体背面の下端部近傍に当接して固定される略長方形状の固定片４３と、この固定片４３の幅方向一端部から、略直角に折り返して延設された第１保持片４４と、この第１保持片４４の延設方向の先端部から、固定片４３とは反対側に略直角に折り返して延設された第２保持片４５と、この第２保持片４５の先端部に設けられ、固定片４３に向かって鉤状に突出する鉤部４６とから構成されている。そして、演出部材保持部４１の天面が、接着剤によって第２保持片４４の裏面に接着されることにより、第１保持片４４と第２保持片４５と鉤部４６とに囲まれた領域内に演出部材保持部４１が配置されて固定されるようになっている。なお、固定金具４２への演出部材保持部４１の固定方法は接着剤に限らず、ねじで固定するようにしてもよい。
【００３９】
また、図５に示すように、固定片４３には、自身の長手方向に平行に５つの固定孔４３ａ（図５では、１つのみ図示）が互いに間隔を空けて各々穿設されている。そして、図３に示すように、本体１２背面の下端部近傍における演出装置４０の固定部分に、上記構成からなる演出装置４０の固定金具４２の固定片４３を当接し、５つの固定孔４３ａ（図５では、１つのみ図示）にねじ１８を各々挿入して、本体１２側の固定孔（図示外）に各々締め付けることによって（図３参照）、演出装置４０全体が本体１２の背面側の下端部近傍に固定される。
【００４０】
一方、演出部材保持部４１は、自身の底面側に、２個のスピーカ１５と、１２個のＬＥＤ５０を備えるＬＥＤ基板（図示外）を保持するものである。そして、スピーカ１５とＬＥＤ基板は、図示外の配線を介して、センターカバー内に設置のサブ制御基板（図示外）に電気的に接続されている。また、このサブ制御基板はメイン制御基板（図示外）と電気的に接続されている。これにより、スピーカ１５から発生する効果音とＬＥＤ５０の発光タイミングはサブ制御基板（図示外）によって制御される。
【００４１】
また、演出部材保持部４１の底面に露出された１２個のＬＥＤ５０は、周知の発光ダイオードであり、赤、青、緑、及び白の何れかの色の発光ダイオードを用いる。なお、１２個のＬＥＤ５０を全て同じ色にする他に、例えば、演出部材保持部４１の裏面における各位置でＬＥＤ５０の色を替えたり、パチンコ機１の遊技状態（例えば、リーチ状態や大当り状態）によって、各ＬＥＤ５０の発光タイミングをそれぞれずらすようにしてもよい。なお、図５に示すＬＥＤ５０が発光手段に相当する。
【００４２】
次に、上記構成からなるパチンコ機１において、本体１２を閉じたときにおける幕板１９の貫通孔２０を光らせる方法について説明する。図３、図６に示すように、本体１２を閉じたときにおいて、演出装置４０の演出部材保持部４１に設けられた１２個のＬＥＤ５０には、各ＬＥＤ５０にそれぞれ対応する各光ファイバー３０の受光端部３０ｂ（図５参照）がそれぞれ対向している。このとき、各ＬＥＤ５０の先端部と光ファイバー３０の受光端部３０ｂとは所定の隙間を介して互いに対向している。これは、本体１２が回動して開かれる際に、光ファイバー３０の受光端部３０ｂが対応するＬＥＤ５０の先端部にあたって引っかかるのを防ぐためである。そして、サブ制御基板（図示外）から演出装置４０の演出部材保持部４１のＬＥＤ基板に向かって制御信号が出力されると、その制御信号にしたがってＬＥＤ基板の各ＬＥＤが点灯（又は点滅）するようになっている。
【００４３】
そして、点灯（又は点滅）するＬＥＤ５０から発せられた光によって、光ファイバーの受光端部３０ｂが照らされる。すると、受光端部３０ｂに照らされた光は、光ファイバー３０の発光端部３０ａまで伝達されるので、発光端部３０ａが発光する。このとき、パチンコ機１を前方から見ると、図２に示すように、幕板１９に設けられた各貫通孔２０全体が発光して見える。このようにして、幕板１９を部分的に光らせることによって、幕板１９の見栄え（装飾効果）を向上させることができる。また、幕板１９を連続的に光らせるだけでなく、パチンコ機１の遊技状態によって、演出装置４０における１２個のＬＥＤ５０の点灯動作を制御することにより、遊技者の遊技意欲をさらに向上させることもできる。
【００４４】
次に、本体１２の開閉動作時における演出装置４０に設けたＬＥＤ５０と、光ファイバー３０との位置関係について説明する。例えば、パチンコ機１裏面側の機後部のメンテナンス等においては、図７に示すように、本体１２を回動させて開き、裏機構部を外部に露出させる。ここで、本実施形態では、光ファイバー３０の受光端部３０ｂは演出装置４０の何れの部分にも接続されていない、そのため、演出装置４０が本体１２とともに回動するのに対し、１２本の光ファイバー３０は、幕板１９の各貫通孔２０に各々嵌挿されて保持された状態であるので、各ＬＥＤ５０と、各光ファイバー３０の受光端部３０ｂとは互いに離間する。これにより、外枠１１と本体１２との間で光ファイバー３０が引っ張られないので、本体１２の開放動作を妨げたり、光ファイバー３０が切断されることがない。
【００４５】
また、本体１２を閉じれば、図３、図６に示すように、演出装置４０の各ＬＥＤ５０と、それに対応する１２本の光ファイバー３０の各受光端部３０ｂとが自動的に対向するので、各ＬＥＤ５０に対する各光ファイバー３０の位置決め作業が不要である。したがって、外枠１１と本体１２との間に光ファイバー３０を配索させても、本体１２の開閉動作を妨げないことに加え、光ファイバー３０の受光端部３０ｂとＬＥＤ５０の位置決めを必要としない。さらに、本体１２を閉じたときには、演出装置４０のＬＥＤ５０と光ファイバー３０の受光端部３０ｂとは互いに所定の隙間をもって対向しているので、本体１２の開閉時では、ＬＥＤ５０の先端部と光ファイバー３０の受光端部３０ｂとが衝突することもない。したがって、本体１２の開閉動作をスムーズに行うことができる。なお、本実施形態では、ＬＥＤ５０の先端部と、光ファイバー３０の受光端部３０ｂとは、所定の隙間をもって対向しているが、互いが接触するように構成してもよい。互いが接触するように構成した場合には、ＬＥＤ５０の発する光が光ファイバーに効率よく伝達される。
【００４６】
以上、説明したように、第１の実施形態であるパチンコ機１では、本体１２の背面の下端部に固定された演出装置４０に設けたスピーカ１５から発生された効果音を、ダクト６０を介して、外枠の幕板１９に設けられた音出口１０から出して演出効果を向上できる一方、ＬＥＤ５０から照射された光を、光ファイバー３０を介して、外枠１１の幕板１９に設けられた貫通孔２０に伝達して、幕板１９の貫通孔２０を光らせることにより、幕板１９の装飾効果を向上できるものである。さらに、このパチンコ機１では、幕板１９に取り付けたダクト６０と本体１２側に取り付けたスピーカ１５とは固定されておらず、また、幕板１９の貫通孔２０に、光ファイバー３０の一端部（発光端部３０ａ）を嵌挿させ、その反対の他端部（受光端部３０ｂ）を、本体１２側に固定された演出装置４０のＬＥＤ５０に隙間を設けて対向させることにより、本体１２が回動して開かれた場合でも、ダクト６０も光ファイバー３０も外枠１１側に保持されるので、外枠１１と本体１２との間でダクト６０が引っ張られたり光ファイバー３０が引っ張られたりしない。
【００４７】
また、本体１２を閉じれば、演出装置４０に設けた各スピーカ１５と各ＬＥＤ５０が、それらに対応するダクト６０の第２の開口部６０ｂと光ファイバー３０の受光端部３０ｂに自動的に対向するので、各スピーカ１５に対するダクト６０の位置決めと、各ＬＥＤ５０に対する光ファイバー３０の位置決めが不要となる。これにより、外枠１１と本体１２との間に、ダクト６０を位置させたり、光ファイバー３０を配索させても、本体１２の開閉動作を妨げることがない上、ダクト６０の第２の開口部６０ｂの位置決めや、光ファイバー３０の受光端部３０ｂの位置決めをなくすことができる。
【００４８】
また、演出装置４０に設けた各スピーカ１５の正面とダクト６０の第２の開口部６０ｂとの間はスポンジ６１を介して当接し、各ＬＥＤ５０の先端部と光ファイバー３０の受光端部３０ｂとの間は、所定の隙間をもって対向しているので、本体の開閉時に、各スピーカ１５とダクト６０の第２の開口部６０ｂや、各ＬＥＤ５０の先端部と光ファイバー３０の受講端部３０ｂとが引っ掛かることがない。したがって、本体の開閉動作をスムーズに行うことができる。
【実施例２】
【００４９】
次に、第２の実施形態であるパチンコ機１について説明する。図９は、第２の実施形態であるパチンコ機１の外枠１１の背面側から見た斜視図である。なお、第１の実施形態であるパチンコ機１と共通の構成部材については同符号を付すものとする。
【００５０】
第２の実施形態であるパチンコ機１は、図９に示すように、第１の実施形態であるパチンコ機１の変形例であり、幕板１９に設けられた複数の貫通孔２０に一端部が各々嵌挿された１２本の光ファイバー３０の他端部を寄せ集めて１箇所に束ね、その束ねた一箇所の受光集合端部３１を、本体１２の背面の下端部に固定された演出装置４０のＬＥＤ集合部５１に対向させた点に特徴を有する。これにより、光ファイバ３０の数よりＬＥＤ５０の数を少なくすることが可能となり、ＬＥＤ５０に係るコストを削減することができる。
【００５１】
また、第２の実施形態であるパチンコ機１は、主に、複数の貫通孔２０に各々嵌挿された複数の光ファイバー３０の配索方法と、演出装置４０の構造とが第１の実施形態と異なる以外は、第１の実施形態であるパチンコ機１の構造と略同じである。したがって、以下の説明では、パチンコ機１の基本構造については説明を省略し、貫通孔２０を幕板１９に有する外枠１１と、光ファイバー３０の配索方法と、演出装置４０の構造とを中心に説明する。
【００５２】
図１０に示すように、幕板１９には、第１の実施形態と同様に、幕板１９の前面及び背面を貫通して、幕板１９の長手方向に直交する１２個（図１０では、４個のみ表示）の円柱状の貫通孔２０は、幕板１９に穿設の各音出口１０の外側に上下２段に各１個ずつ穿設の貫通孔２０と、各音出口１０の内側に上下２段に各４個ずつ穿設の貫通孔２０とで、上下２段に各６個ずつ横並びに列設されている。そして、これら１２個の貫通孔２０には、光ファイバー３０の一端部である発光端部３０ａが、幕板１９の背面側から前面側に向かって各々嵌挿されている。これにより、１２本の光ファイバー３０が外枠１１の幕板１９に支持された状態となっている。
【００５３】
次に、光ファイバー３０の配索構造について説明する。図９、図１０に示すように、幕板１９に設けられた１２個の貫通孔２０には、１２本の光ファイバー３０の発光端部３０ａ側が、外枠１１の背面側から前面側に向かって嵌挿されている。そして、それら１２本の光ファイバー３０は、幕板１９に各々支持された状態で、幕板１９の左側に設置のダクト６０の右側近傍に向かって略水平に各々配索されている。さらに、それら配索された１２本の光ファイバー３０の各他端部側は、略垂直上方にそれぞれ折り返され、リング状の結束バンド９０によって１本に束ねられている。そして、１２本の光ファイバー３０の他端部が結束されて集合してなる受光集合端部３１は、本体１２が閉じたときにおいて、後述する演出装置４０のＬＥＤ集合部５１に対して所定の隙間をもって対向するように配置される。
【００５４】
次に、演出装置４０について説明する。図１０に示すように、演出装置４０は、本体１２の背面の下端部近傍に当接して固定されている。そして、演出装置４０は、第１の実施形態の演出装置４０（図５参照）と同じ基本構造を備え、４個のＬＥＤ５０が集合してなるＬＥＤ集合部５１を備えるＬＥＤ基板（図示外）と、このＬＥＤ基板を自身の底面側に保持する略直方体状の演出部材保持部４１と、この演出部材保持部４１を本体１２の背面の下端部近傍に固定する断面略クランク状に成形された金属板である固定金具４２とで構成されている。また、固定金具４２の略長方形状の固定片４３の長手方向には、固定孔４３ａが穿設されている。そして、この固定片４３を本体１２の背面に当接し、固定孔４３ａを、本体１２の下端部近傍に穿設された固定孔（図示外）に合わせて、ビス１８を挿入して本体１２側に締め付けることにより、演出装置４０が、本体１２の背面の下端部近傍に固定される。
【００５５】
また、演出部材保持部４１は、ＬＥＤ集合部５１を備えるＬＥＤ基板（図示外）を、自身の底面側に保持するものである。そして、そのＬＥＤ基板は、図示外の配線を介して、センターカバー内に設置のサブ制御基板（図示外）に電気的に接続されている。また、このサブ制御基板はメイン制御基板（図示外）と電気的に接続されている。これにより、スピーカ１５から発生する効果音とＬＥＤ集合部５１の発光タイミングは、サブ制御基板（図示外）によって制御される。そして、このＬＥＤ集合部５１に対して、上記した１２本の光ファイバー３０の各他端部が結束されてなる受光集合端部３１が対向するように構成されている。なお、ＬＥＤ集合部５１を構成するＬＥＤ５０の個数は、４つより多くても少なくてもよく、光ファイバー３０の受光集合端部３１の大きさや、光ファイバー３０の発光する明るさによって調整するのが好ましい（例えば、３〜１２個）。なお、図１０に示すＬＥＤ５０が「発光手段」に相当する。
【００５６】
次に、本体１２を閉じたときにおける幕板１９の発光方法について説明する。図１０に示すように、本体１２を閉じたときには、演出装置４０のＬＥＤ集合部５１の下方には、１２本の光ファイバー３０の受光集合端部３１が位置する。このとき、ＬＥＤ集合部５１と、１２本の光ファイバー３０の受光集合端部３１とは、所定の隙間をもって対向する。これは、本体１２が回動して開放される際に、受光集合端部３１がＬＥＤ集合部５１の各ＬＥＤ５０の先端に衝突するのを防ぐためである。そして、サブ制御基板（図示外）から演出部材保持部４１に保持されたＬＥＤ基板（図示外）に向かって制御信号が出力されると、その制御信号にしたがってＬＥＤ基板の各ＬＥＤが点灯（又は点滅）し、ＬＥＤ集合部５１全体が点灯（又は点滅）する。
【００５７】
すると、点灯（又は点滅）するＬＥＤ集合部５１から発せられた光によって、光ファイバー３０の受光集合端部３１全体が照らされる。これにより、受光集合端部３１に照らされた光は、１２本の光ファイバー３０にそれぞれ分割されて、各光ファイバー３０の発光端部３０ａにそれぞれ伝達される。これにより、１２本の光ファイバー３０の各発光端部３０ａが発光する。このように、１本の受光集合端部３１全体を、４個のＬＥＤ５０で照らすだけで、１２本の光ファイバー３０の各発光端部３０ａを同時に光らせることができる。そして、１本の受光集合端部３１のみを照らすだけでよいので、ＬＥＤ５０の設置個数を必要最低限（本実施例では４個）まで減らすことができる。これにより、ＬＥＤ５０にかかるコストを節約することができる。なお、本実施例では、ＬＥＤ集合部５１と、１２本の光ファイバー３０の受光集合端部３１とは、所定の隙間をもって対向しているが、互いが接触するように構成してもよい。互いが接触するように構成した場合には、ＬＥＤ５０の発する光が光ファイバー３０に効率よく伝達される。
【００５８】
これに加え、１２本の光ファイバー３０からなる受光集合端部３１は、演出装置４０のＬＥＤ集合部５１には接続されていない。このため、本体１２が回動して開放される際において、演出装置４０のＬＥＤ集合部５１は本体１２とともに回動するのに対し、１２本の光ファイバー３０の受光集合端部３１は、幕板１９側に保持された状態となり、ＬＥＤ集合部５１と受光集合端部３１とは互いに離間する。したがって、外枠１１と本体１２との間で１２本の光ファイバーが一斉に引っ張られることがないので、本体１２の開放動作が妨げられたり、光ファイバー３０が切断されたりしない。また、本体１２を閉じれば、演出装置４０のＬＥＤ集合部５１と、１２本の光ファイバー３０の受光集合端部３１とが自動的に対向して位置決めされるので、光ファイバー３０の位置決め作業が不要となる。したがって、第１の実施形態と同様に、外枠１１と本体１２との間に１２本の光ファイバー３０を配索させても、本体１２の開閉動作を妨げず、光ファイバー３０の受光集合端部３１をＬＥＤ集合部５１に位置決めする必要もない。
【００５９】
また、光ファイバー３０の受光集合端部３１と、演出装置４０とは、本体１２が軸支される側に配置されているので、本体１２とともに回動する演出装置４０の移動距離が短くなる。これにより、本体１２の開閉動作が繰り返されても、受光集合端部３１と演出装置４０とが対向する位置にズレが生じにくくなるので、演出装置４０のＬＥＤ集合部５１から発せられた光によって、受光集合端部３１を確実に照らすことができる。
【００６０】
以上説明したように、第２の実施形態であるパチンコ機１では、幕板１９に設けられた１２個の貫通孔２０に各々嵌挿された１２本の光ファイバー３０の各受光端部３０ｂ近傍を結束バンド９０で一本に束ね、その束ねて形成された１本の受光集合端部３１を、本体１２側に固定された演出装置４０のＬＥＤ集合部５１に対向させている。これにより、１本の受光集合端部３１を照らすだけで、１２本の光ファイバー３０の各発光端部３０ａを光らせることができるので、ＬＥＤ集合部５１を構成するＬＥＤ５０の設置個数を、設置してある光ファイバー３０の数未満である必要最低限の個数に抑えることにより、ＬＥＤ５０に係るコストを削減することができる。
【実施例３】
【００６１】
次に、第３の実施形態であるパチンコ機１について説明する。図１１は、第３の実施形態であるパチンコ機１の外枠１１と本体１２との分解斜視図である。なお、第１の実施形態であるパチンコ機１と共通の構成部材については同符号を付すものとする。
【００６２】
第３の実施形態であるパチンコ機１は、図１１に示すように、第１の実施形態であるパチンコ機１と略同じ構成を備え、外枠１１の幕板１９に穿設された円柱状の貫通孔１２には、１２本の円柱状の光ファイバー３７の発光端部３７ａがそれぞれ嵌挿され、それら光ファイバー３７の発光端部３７ａとは反対の受光端部３７ａが、略Ｌ字状にそれぞれ上方に折り返されている。一方、演出装置４０に設置の１２個のＬＥＤが各々突出する演出部材保持部材４１の各部分には、直線状の光ファイバー３０の受光端部（図示外）が、円筒状の連結部材７７を介して接続され、反対の発光端部３８ａは、鉛直下方に各々延設されている。この連結部材７７は、プラスチック製であり、内面が鏡状となっている。そして、連結部材７７の上部がＬＥＤ５０を取り囲むようにして、演出部材取付け部４１に接着剤で固定されており、下部には光ファイバー３８が嵌挿されている。連結部材７７の内面が鏡状となっていることにより、ＬＥＤ５０の発する光を効率よく光ファイバー３８に伝達することが可能となる。なお、図１１に示す光ファイバー３８が、「第１の光ファイバー」に相当し、光ファイバー３７が、「第２の光ファイバー」に相当する。
【００６３】
このような、パチンコ機１では、本体１２を閉じたときに、演出部材保持部４１の各ＬＥＤ５０に各々接続された第１の光ファイバー３８の発光端部３８ａは、各発光端部３８ａに対応する幕板１９の貫通孔２０に嵌挿された第２の光ファイバー３７の受光端部３７ｂに対して、所定の隙間を介して対向する。この状態で、演出装置４０の各ＬＥＤ５０が発光すると、１２本の第１の光ファイバー３８の各発光端部３８ａが発光し、この発光端部３８ａによって、１２本の第２の光ファイバー３７の各受光端部３７ｂが照らされる。すると、その受光端部３７ｂに照らされた光は、その第２の光ファイバー３７の発光端部３７ａに伝達されて発光するので、幕板１９の貫通孔２０を光らせることができる。
【００６４】
また、本体１２が開放される際には、上述したように、第２の光ファイバー３７の受光端部３７ｂと、第１の光ファイバー３８の発光端部３８ａとが固定されていないので、本体１２の回動とともに、演出装置４０に設置のＬＥＤ５０に接続された第１の光ファイバー３８だけが移動する。これにより、本体１２が開放されても、外枠１１と本体１２との間で、第２の光ファイバー３７、第１の光ファイバー３８が引っ張られることがないので、本体１２の開放動作を妨げたり、第２の光ファイバー３７、第１の光ファイバー３８が断線することがない。なお、第１の光ファイバー３８の発光端部３８ａは、本実施形態のように、各発光端部３８ａに対応する幕板１９の貫通孔２０に嵌挿された第２の光ファイバー３７の受光端部３７ｂに対して、所定の隙間をもって離すのが好ましいが、接触するように構成してもよい。
【００６５】
なお、本発明は、以上詳述した第１、第２、第３の実施形態に限定されるものではなく、各種の変形が可能である。まず、本実施の形態では、遊技機として、パチンコ機１を例に挙げてあるが、遊技機はパチンコ機に限られず、スロットマシン等の各種遊技機に適用可能である。
【００６６】
さらに、例えば、ダクト６０の第２の開口部６０ｂの先端部に付設するのは、スポンジに限らず、ゴム、フエルト等の他の可撓部材であってもよい。また、ダクト６０に可撓部材を付設しないで、スピーカ１５の表面に可撓部材を設けてもよい。さらには、ダクト６０の第２の開口部６０ｂとスピーカ１５の表面の双方に可撓部材を付設してもよい。
【００６７】
さらには、ダクト６０全体、又は、ダクト６０の第２の開口部６０ｂの先端部を、可撓性を有する樹脂から構成して、ダクト６０の第２の開口部６０ｂの先端がスピーカ１５の表面に当接したときに撓んで密着し、音漏れを防止するようにしてもよい。
【図面の簡単な説明】
【００６８】
【図１】第１の実施形態である、パチンコ機１の全体斜視図である。
【図２】パチンコ機１の正面図である。
【図３】パチンコ機１の背面図である。
【図４】外枠１１を背面側から見た斜視図である。
【図５】演出装置４０と複数の光ファイバー３０との位置関係を示す外枠１１と本体１２との分解斜視図である。
【図６】本体１２が閉塞された状態のパチンコ機１の右側面図である。
【図７】本体１２が開放された状態のパチンコ機１の右側面図である。
【図８】（Ａ）スピーカ１５とダクト６０との位置関係を示す断面図である。（Ｂ）スピーカ１５とダクト６０との位置関係を示す拡大図である。
【図９】第２の実施形態である、パチンコ機１の外枠１１の背面側から見た斜視図である。
【図１０】演出装置４０と複数の光ファイバー３０との位置関係を示す外枠１１と本体１２との分解斜視図である。
【図１１】第３の実施形態である、複数の第１の光ファイバー３８と複数の第２の光ファイバー３７との位置関係を示す外枠１１と本体１２との分解斜視図である。
【符号の説明】
【００６９】
１      パチンコ機（遊技機）
２      遊技盤
３      ガラス枠
５      上皿
６      下皿
７      発射ハンドル
１０    音出口
１０ａ  スピーカグリル
１１    外枠
１２    本体
１５    スピーカ
１８    機構部
１９    幕板
２０    貫通孔
３０    光ファイバー（光伝達手段）
３０ａ  発光端部
３０ｂ  受光端部
３３    光ファイバー
３３ａ  発光端部
３７    第２の光ファイバー（第２の光伝達手段）
３８    第１の光ファイバー（第１の光伝達手段）
４０    演出装置
４１    演出部材保持部
５０    ＬＥＤ（発光手段）
６０    ダクト（音通路）
６０ａ  第１の開口部
６０ｂ  第２の開口部
６０ｃ  胴部
６１    可撓部材（スポンジ）
【図１】
2007075488.tif 000003
【図２】
2007075488.tif 000004
【図３】
2007075488.tif 000005
【図４】
2007075488.tif 000006
【図５】
2007075488.tif 000007
【図６】
2007075488.tif 000008
【図７】
2007075488.tif 000009
【図８】
2007075488.tif 000010
【図９】
2007075488.tif 000011
【図１０】
2007075488.tif 000012
【図１１】
2007075488.tif 000013